(57)【要約】【課題】剥離しやすい性質の塗料を塗布する際にも、剥離しにくい塗装方法、塗装部材および電子機器を提供することを目的とする。【解決手段】被塗装部材に硬質材を含有する第１の塗料による塗装を行う際、、第１の塗料を行う塗装領域の周囲の少なくとも一部に第２の塗料を塗装して第２の被覆層を塗着した後、前記第１の塗装を前記塗装領域及び前記第２の被覆層の一部を覆うように塗装して第１の被覆層を塗着することを特徴とする塗装方法【選択図】  図３
2005046704.tif 000002
【特許請求の範囲】
【請求項１】
被塗装部材に、硬質材を含有する第１の塗料を塗装して第１の被覆層を塗着する塗装方法であって、前記被塗装部材の前記第１の塗料を塗着する塗装領域の周囲の少なくとも一部に第２の塗料を塗装して第２の被覆層を塗着した後、前記第１の塗装を前記塗装領域及び前記第２の被覆層の一部を覆うように塗装して第１の被覆層を塗着することを特徴とする塗装方法。
【請求項２】
筐体の一部を構成する被塗装部材に、硬質材を含有する第１の被覆層と該第１の被覆層の周囲の少なくとも一部に設けられた第２の被覆層を塗着してなり、前記第１の被覆層の一部が前記第２の被覆層の一部を覆うように被着することを特徴とする塗装部材。
【請求項３】
前記被塗装部材が透光材からなり、前記第２の被覆層が塗着される塗装面と対向する裏面に切欠部を有することを特徴とする請求項２に記載の塗装部材。
【請求項４】
前記硬質材が金属箔片からなり、前記硬質材が前記第１の被覆層内の被塗装部材側に密集していることを特徴とする請求項２から３のいずれか一に記載の塗装部材。
【請求項５】
筐体の一表面に備える開口部を表示用カバーで閉塞してなり、前記筐体内に備える表示部の光を前記表示用カバーを介して視認可能に構成した電子機器において、前記表示用カバーは透光部材からなり、該透光部材の筐体内面であって、その視認領域側周縁に硬質材を含有する第１の被覆層を備えると共に、少なくとも前記第１の被覆層の外周の一部に第２の被覆層を備え、前記第１の被覆層の一部が前記第２の被覆層の一部を覆うように塗着してあることを特徴とする電子機器。
【発明の詳細な説明】
【０００１】
【発明の属する技術分野】本発明は、剥離しやすい性質の塗料を塗布する際の剥離しにくい塗装方法、この塗装方法による塗装を施した塗装部品および電子機器に関する。
【０００２】
【従来技術】近年、多種の電子機器において、ミラー塗料を用いたミラー塗装というものが外装部品に用いられている。以下、携帯電話機を例に従来技術の説明を行う。
携帯電話機には、通常ＬＣＤ（Ｌｉｑｕｉｄ  Ｃｒｙｓｔａｌ  Ｄｉｓｐｌａｙ）が筐体内部に実装され、筐体外部から視認できるように透明なアクリル樹脂やＡＢＳ（Ａｃｒｙｌｏｎｉｔｒｉｌｅ  Ｂｕｔａｄｄｉｅｎｅ  Ｓｔｙｒｅｎｅ）樹脂やポリカーボネイト樹脂などにより形成された表示用カバーを筐体に備える。  ところで、この表示用カバーを始め、携帯電話機の筐体には様々な塗装が施され、美観の向上が図られている。以下、図を用いて、表示用カバーに施す塗装について述べる。
【０００３】
図５には従来の携帯電話機における表示用カバーを示す。なお、図の上側が携帯電話機の筐体の外側の面、下側が筐体の内側（つまりＬＣＤの設けられている側）の面である。透明なアクリル部材５０１の筐体内側の塗装面５０３に、ミラー塗装５０２が施される。このミラー塗装は表示用カバーの筐体内側の面の、特に周縁部に施され、表示用カバーを筐体外部から見たとき、表示用カバー周縁部に鏡のような光沢を与え、携帯電話機の外装に華やかさを与えたり、ＬＣＤを際立たせたりするために設けられる。
【０００４】
次に、図６を用いてミラー塗装について説明する。ミラー塗装を行うために用いられるミラー塗料には、溶剤中に固定剤の他アルミニウムなどの金属粉６０１等を含有しており、これらを可能な限り均一に混合した上でアクリル部材５０１の塗装面５０３に塗布される。溶剤が揮発して固定剤が硬化するよりも早く、金属粉６０１が沈殿するように溶剤及び固定剤はその濃度などが調整されている。
金属粉６０１は一つ一つが箔状（ｘ軸、ｙ軸、ｚ軸のそれぞれの長さのうちの一つの値のみが極端に小さい形状）に形成されており、沈殿するとその金属粉６０１の厚みが図６の上下方向になるような形に積もる事になる。その後、溶剤が揮発して固定剤により金属粉６０１が塗装面５０３に固着される。これにより、表示用カバーの筐体外側からは、金属粉の均一に積もった面がアクリル部材越しに見えることとなり、鏡のような光沢を得ることが出来る。
【０００５】
しかしながらミラー塗装等は、最終的には金属粉（金属箔）がアクリル部材等の異種の物質に塗着されることとなるため、金属箔ごとミラー塗装が剥離しやすいという問題があった。さらに、細かい金属箔単位での剥離も発生しやすかった。特に、ミラー塗装の塗装部の外周部分において、金属箔の剥離が発生しやすかった。
【０００６】
また、特許文献１には剥離の防止に関する技術を用いた反射ミラーが示される。図７を用いてこの技術を説明する。ポリカーボネイト等の基体７０１の上に金属層７０２を蒸着する。ここで、金属層７０２の剥離防止のためにさらにポリエステル樹脂などでコートして樹脂層７０３を形成したものである。金属層７０２に直接に物が接触したりすることが無くなるため、クラックが発生しにくくなる反射ミラーを得ることが出来る。
【０００７】
【特許文献１】
特開平５−１００１０７
【０００８】
【発明が解決しようとする課題】被塗装部材に対して部分的に塗装を施した場合には塗装部分と非塗装部分の間、また、被塗装部材の末端まで塗装を施した場合にはその末端部において、塗装の剥離が発生しやすかった。
【０００９】
また、特許文献１に示される技術によると、金属層７０２の上に樹脂層７０３が形成されているため、金属層の外周部分における強度に関しては樹脂層７０３を設けられていない状態に比べてなんら向上しないことが推測される。
【００１０】
本発明は上述の点に鑑みてなされたもので、剥離しやすい性質の塗料を塗布する際の剥離しにくい塗装方法、この塗装方法による塗装を施した塗装部品およびこれを備えた電子機器を提供することを目的とする。
【００１１】
【課題を解決するための手段】
本発明は、被塗装部材に、硬質材を含有する第１の塗料を塗装して第１の被覆層を塗着する塗装方法であって、前記被塗装部材の前記第１の塗料を塗着する塗装領域の周囲の少なくとも一部に第２の塗料を塗装して第２の被覆層を塗着した後、前記第１の塗装を前記塗装領域及び前記第２の被覆層の一部を覆うように塗装して第１の被覆層を塗着することを特徴とする。
【００１２】
また、本発明は筐体の一部を構成する被塗装部材に、硬質材を含有する第１の被覆層と該第１の被覆層の周囲の少なくとも一部に設けられた第２の被覆層を塗着してなり、前記第１の被覆層の一部が前記第２の被覆層の一部を覆うように被着することを特徴とする。
【００１３】
また、前記被塗装部材が透光材からなり、前記第２の被覆層が塗着される塗装面と対向する裏面に切欠部を有することが好ましい。
【００１４】
さらに、前記硬質材が金属箔片からなり、前記硬質材が前記第１の被覆層内の被塗装部材側に密集していることが好ましい。
【００１５】
また、本発明は筐体の一表面に備える開口部を表示用カバーで閉塞してなり、前記筐体内に備える表示部の光を前記表示用カバーを介して視認可能に構成した電子機器において、前記表示用カバーは透光部材からなり、該透光部材の筐体内面であって、その視認領域の周縁に硬質材を含有する第１の被覆層を備えると共に、少なくとも前記第１の被覆層の外周の一部に第２の被覆層を備え、前記第１の被覆層の一部が前記第２の被覆層の一部を覆うように塗着してあることを特徴とする。
【００１６】
【発明の実施の形態】以下本発明の実施の形態について携帯電話機を例に図面を用いて説明する。図１には携帯電話機１００が示される。携帯電話機１００はスピーカ１０１とマイク１０２、キー操作部１０３、アンテナ１０４が備えられる。また、ＬＣＤ（液晶表示器）１０５が筐体内部に電子基板に実装された上で内包されており、このＬＣＤ１０５を外部に視認可能な状態で外部への直接の露出を防止する表示用カバー１０６が筐体に接着などにより固定されている。また、特に図示しないが携帯電話機１００は電子基板に制御部が実装されて筐体内に内包され、スピーカ１０１とマイク１０２、キー操作部１０３、アンテナ１０４およびＬＣＤ１０５の制御を行う。
【００１７】
使用者は、キー操作部１０３の操作によりＬＣＤ１０５を表示用カバー１０６を透過して表示を見ながら相手の電話番号を入力するなどし、制御部の制御によりアンテナ１０４を用いて無線通信網に接続を行った上で、スピーカ１０１とマイク１０２を用いて所望の相手と通話を行うことができる。また、表示用カバー１０６は、透明部分１０６１と塗装部分１０６２が形成され、携帯電話機１００に組み込まれた際の、筐体との接着面の透過を防止して外装部品として美観の向上に作用する。
【００１８】
次に、図を用いて塗装部分１０６２に特にミラー塗装を選択し、表示用カバー１０６に施す際の本発明の実施例について述べる。
【００１９】
図２に本発明の携帯電話機における表示用カバー１０６を示す。特に図２（ａ）は表面（外部に露出する面）の正面図を示し、図２（ｂ）および図２（ｃ）はそれぞれ図２（ａ）におけるｘ−ｘ´断面、ｙ−ｙ´断面を示す図である。図１において説明したように、表示用カバー１０６には透明部分１０６１と塗装部分１０６２が形成されており、更に塗装部分１０６２の周縁部には表示用カバー成形段階から、もしくは切削により、表面に対し約４５度の角度でカット面２０１が設けられている。また、塗装部分１０６２は表示用カバー１０６の裏面（筐体組込み時に外部に露出しない面）側から施される。
【００２０】
次に塗装部分１０６２について図３を用いて説明する。図３は図２（ｃ）の枠Ａの部分を拡大したものである。表示用カバー１０６を構成するアクリル部材３０１の裏面には塗装部分１０６２として２種の塗装が施される。一方がミラー塗装３０２であり、他方がメタリック塗装３０３である。
【００２１】
アクリル部材３０１には前述のカット面２０１が形成されており、表示用カバー１０６として組み込んだ際に、外部からは幅Ｂの分だけ表示用カバー１０６に傾斜が設けられている。この幅Ｂの部分について、メタリック塗装３０３を施す。つまり、図２（ａ）におけるカット面２０１の直下にメタリック塗装３０３は施され、全体を囲い込む形になる。次にミラー塗装３０２をメタリック塗装３０３の内側に施す。図２ａにおいては、メタリック塗装３０３で外周部を囲い込んだ後に、その内側部分について塗装部分１０６２の範囲に亘り塗装する。
【００２２】
特にその塗装の順序については、メタリック塗装３０３を施し、硬化した後にミラー塗装３０２を施す順序が好ましく、結果的には図３に示されるようにミラー塗装３０２の形成したなだらかな山の斜面の内側部分に若干重なるような形にミラー塗装３０２が成されるようになる。
【００２３】
図４を用いて、塗装工程を更に詳述する。図４は説明のため図３の特に塗装の部分（枠Ｃ）を拡大し、上下を反転した図である。まず、各塗料について説明を行う。ミラー塗料については従来技術の説明においても述べたため、詳述を避けるが溶剤と固定剤中で撹拌された金属粉４０１（金属箔状）がミラー塗料の塗布後に沈殿して、金属箔が多数塗布範囲全体に亘って積もった状態になった後に硬化する。
【００２４】
また、メタリック塗装はメタリック塗装３０３を得るために用いられ、ミラー塗料同様に金属粉４０２を含有する。ただし、金属粉４０２は金属粉４０１と異なり、金属粉全体に対する厚みの比が金属粉４０１に比べて大きく、金属粉４０１の方が金属粉４０２よりも金属箔に近い状態である。さらにメタリック塗料はミラー塗料に比して硬化の時間が短い上、その粘度も高い。メタリック塗料についても金属粉４０２を溶剤と固定剤中で撹拌した上で塗布する。しかし、ミラー塗料と違い、金属粉４０２があまり沈殿しない状態で硬化するだけでなく、金属粉４０２の厚みが薄くないため均一に底に沈殿しにくく、沈殿物で鏡を形成できるほど平らにはならない。
【００２５】
さらに、ミラー塗料と異なって若干ながら図４に示すように塗装を施す部材を侵食し、その面が平らでもなくなるために接触面が広くなって接着力がミラー塗料の場合に比して高い。また塗装を施した部材側から見たとき、ミラー塗料は金属粉４０１が均一にフラットな面を構成しやすいことに対し、メタリック塗料は若干の侵食により塗装面が荒れている上、金属粉４０２が整然とは並ばないため、金属粉４０２による光の反射は乱反射してメタリック塗料特有の光沢を得ることができる。
【００２６】
次に本発明にかかる塗装の手順としては、まずメタリック塗装３０３を行い、次にミラー塗装３０２を行う。メタリック塗料は、硬化したときに塗装の露出部分には金属粉４０２が若干ながら突出していたり、この金属粉４０２が塗料中に浮いていたりすることにより塗装の露出部分表面がなめらかでないという特徴を持つ。メタリック塗装３０３の硬化後に、このメタリック塗装３０３に若干重なるようにミラー塗装３０２を行う。
【００２７】
ミラー塗装３０２は、ミラー塗料の塗布後、メタリック塗装３０３の施されていない部分について金属粉４０１が沈殿する。また、ミラー塗装４０１の特にメタリック塗装４０２に重なっている部分については突出している金属粉４０２や、メタリック塗装３０３のなめらかでない表面の一部を含みこんで硬化する。
【００２８】
以上のような塗装を表示用カバー１０６に行い、完全に硬化した後に図１に示されるような携帯電話機１００に組み込む。組込みの手法としては塗装部分１０６２の下に収まる寸法の両面テープを貼り付け、この両面テープを用いて携帯電話機１００のＬＣＤ１０５の露出すべき窓部を覆うように貼り付ける。この構成により両面テープが露出することのない表示用カバー１０６を備えた携帯電話機１００を得ることが出来る。
【００２９】
本発明は、表示用カバー１０６のような被塗装部材にミラー塗料のような剥離しやすい塗料を塗布する際に、その塗装面の周縁部を剥離しにくいメタリック塗料のような異種の塗料による塗装により囲い込むことにより、本来剥離しやすい類の塗料であっても剥離しにくくすることが可能となる。
【００３０】
また、塗装の順序について、塗装部周縁部を予め異種の塗装で囲い込んだ後にミラー塗料を塗布するため、ミラー塗料の含有する金属粉が囲い込まれた範囲内のみで広がるため、より少ない金属粉量で鏡状の塗装を得ることが出来る。さらに、異種の塗装を行った範囲内で、一部重なるように塗布することにより、ミラー塗装のような剥離しやすい塗装であっても、異種の塗料の硬化した後に出来る塗装のなめらかでない表面に剥離しやすい類の塗料が入り込んで硬化するので、より塗装の塗着力が向上する。
また、表示用カバー１０６の塗装面とは反対面の外周部分に傾斜を設け、この傾斜の直下の部分に収まるように異種の塗装を行うことにより、透過性のある被塗装部材であったとしても、光の屈折により直下の塗装は見にくいため、外見上は塗装部分１０６２が異種の塗装で構成されているとは把握しがたくなり、美観を損ねることが無くなる上、ミラー塗料のような高価な塗料の使用量を減少することも出来、電子機器としてのコストダウンにもつながる。また、この傾斜により、表示用カバー１０６を携帯電話機などの電子機器に組み込んだ後も、表示用カバー１０６外周部のエッジが鋭利にならずに済み、使用者の怪我を防げるばかりでなく、表示用カバー１０６に対する光の出入りに変化が付けられて美観も向上する。
【００３１】
なお、本発明の実施例としては、異種の塗装として一例として剥離しやすい塗装としてミラー塗装、外周を囲う塗装としてメタリック塗装を用いたが、それぞれこれ以外であっても剥離しやすい塗装の外周により塗着力の強い塗装を施すものであれば良い。また、外周を囲うだけでなく、外周の一部分のみに本発明のような塗装を施すことにより、部分的に剥離防止するよう構成してもよい。
【００３２】
そして、異種の塗装の互いの色の選択としては、例えば銀色のミラー塗装に対しては、メタリック塗装は銀色もしくは灰色が好ましい。もしもミラー塗装が金色ならばメタリック塗装は金色もしくは黄色や橙色、といった具合に近時色を用いることが好ましい。そうすることにより、塗装部分が異なる種類の塗料により構成されていることが使用者には見分けがつきにくく、塗装を異ならせたことによる美観の低下を妨げることが出来る。
【００３３】
また、本発明にかかる電子機器としてはストレート型の携帯電話機を例に用いて説明したが、その他の電子手帳や携帯型音楽再生機などの電子機器に用いても有効であることは言うまでも無い。
【００３４】
【発明の効果】本発明によれば、剥離しやすい性質の塗装であっても、剥離しにくくすることができる。
【図面の簡単な説明】
【図１】本発明による携帯電話機の構成例を示す図である。
【図２】本発明による表示用カバーを示す図である。
【図３】図２の枠Ａの拡大図である。
【図４】本発明による塗装の構成図である。
【図５】従来の表示用カバーを示す図である。
【図６】従来の塗装の構成図である。
【図７】従来の剥離防止塗装の構成図である。
【符号の説明】
１００                        携帯電話機
１０５                        ＬＣＤ
１０６                        表示用カバー
２０１                        カット面
３０２                        ミラー塗装
３０３                        メタリック塗装
４０１、４０２                金属粉
【図１】
2005046704.tif 000003
【図２】
2005046704.tif 000004
【図３】
2005046704.tif 000005
【図４】
2005046704.tif 000006
【図５】
2005046704.tif 000007
【図６】
2005046704.tif 000008
【図７】
2005046704.tif 000009